(57)【要約】【課題】遊技盤にひび割れを起こすことなく遊技釘を確実に保持することができる遊技機を提供する。【解決手段】遊技盤１０は、表板１２と裏板１４とを重ね合わせて構成される。第１遊技釘３２は、棒状の釘本体部３６における後端にフランジ部３８が設けられる。表板１２には、釘本体部３６の外径より大きく、かつフランジ部３８は挿通不能な大きさの内径を有する貫通孔１２ａが設けられる。そして、表板１２の裏側から釘本体部３６を貫通孔１２ａに挿通した第１遊技釘３２のフランジ部３８が、表板１２と裏板１４とで挟持されることで、該遊技釘３２が遊技盤１０に植設される。【選択図】図３
2006094931.tif 000002
【特許請求の範囲】
【請求項１】
遊技盤に多数の遊技釘が植設される遊技機において、
前記遊技釘は、棒状の釘本体部における後端にフランジ部が設けられ、
前記遊技盤は、表板と裏板とを重ね合わせて構成されると共に、前記表板には、前記釘本体部の外径より大きく、かつ前記フランジ部が挿通不能な大きさの内径を有する貫通孔が設けられ、
前記表板の裏側から釘本体部を貫通孔に挿通した前記遊技釘のフランジ部が、表板と裏板とで挟持されている
ことを特徴とする遊技機。
【請求項２】
前記遊技釘が遊技盤に植設された状態で前記貫通孔の内部に位置する釘本体部に、該貫通孔の内壁に向かって突設される規制部が設けられている請求項１記載の遊技機。
【請求項３】
前記遊技釘が遊技盤に植設された状態で前記貫通孔の前端開口面域に位置する釘本体部に、前記規制部が設けられている請求項２記載の遊技機。
【発明の詳細な説明】
【技術分野】
【０００１】
本発明は、遊技盤に多数の遊技釘が植設された遊技機に関するものである。
【背景技術】
【０００２】
代表的な遊技機であるパチンコ機の遊技盤としては、木製のものが採用されており、その盤面には、遊技球の流路を形成するための多数の遊技釘が打ち込まれている。この木製の遊技盤は、その部位によって硬度等の材質が異なるため、遊技釘の打ち込み具合が不均等になったり、湿度の変化により遊技盤が変形する等の問題があった。そこで近年では、木製の遊技盤の不都合を解消するために、合成樹脂製の遊技盤が提案されている。
【０００３】
しかしながら、合成樹脂製の遊技盤に遊技釘を打ち込む場合、その厚みや材質等の条件によっては遊技釘の保持力が充分に得られず、打ち込まれた遊技釘が不安定になったり、遊技盤にひび割れを生ずる問題を招くこととなる。そこで、遊技釘が打ち込まれる孔部を有するボスを、遊技盤の裏面に形成することで、前記問題に対処する提案がなされている(例えば、特許文献１参照)。
【特許文献１】特開平４−３５４９６０号公報
【発明の開示】
【発明が解決しようとする課題】
【０００４】
しかし、前記特許文献１に開示の技術では、遊技釘の外径に対してボスに設けられた孔部の内径が、許容される以上の誤差を生じた場合は、以下の問題を招くこととなる。
すなわち、孔径が大きい場合は、遊技釘の保持力が充分に得られず、遊技釘が抜け落ちるおそれがある。また孔径が小さい場合は、遊技釘を打ち込む際に、遊技盤に過度の負荷が加わり、遊技盤にひび割れを生ずるおそれがある。
【０００５】
このように、孔径に誤差を生じただけで、前述した問題を解消することができなくなるばかりか、歩留りも低下する難点が指摘される。
【０００６】
すなわち本発明は、前述した従来の技術に内在している前記課題に鑑み、これを好適に解決するべく提案されたものであって、遊技盤にひび割れを起こすことなく遊技釘を確実に保持することができる遊技機を提供することを目的とする。
【課題を解決するための手段】
【０００７】
前記課題を克服し、所期の目的を達成するため、本願発明に係る遊技機は、
遊技盤(10,10A,10B)に多数の遊技釘(32,42,46)が植設される遊技機において、
前記遊技釘(32,42,46)は、棒状の釘本体部(36)における後端にフランジ部(38)が設けられ、
前記遊技盤(10,10A,10B)は、表板(12)と裏板(14)とを重ね合わせて構成されると共に、前記表板(12)には、前記釘本体部(36)の外径より大きく、かつ前記フランジ部(38)は挿通不能な大きさの内径を有する貫通孔(12a)が設けられ、
前記表板(12)の裏側から釘本体部(36)を貫通孔(12a)に挿通した前記遊技釘(32,42,46)のフランジ部(38)が、表板(12)と裏板(14)とで挟持されていることを特徴とする。
【０００８】
また前記遊技機において、前記遊技釘(42,46)が遊技盤(10,10A,10B)に植設された状態で前記貫通孔(12a)の内部に位置する釘本体部(36)に、該貫通孔(12a)の内壁に向かって突設される規制部(44,48)を設けるようにしてもよい。
【０００９】
更に、前記遊技機において、前記遊技釘(42,46)が遊技盤(10,10A,10B)に植設された状態で前記貫通孔(12a)の前端開口面域に位置する釘本体部(36)に、前記規制部(44,48)を設けるようにしてもよい。
【発明の効果】
【００１０】
本発明の請求項１に係る遊技機によれば、遊技釘の後端に設けたフランジ部を、遊技盤の表板と裏板とで挟持しているから、遊技盤に植設された遊技釘は抜け落ちることなく確実に保持される。また遊技釘の釘本体部は、その外径より大きな内径の貫通孔に挿通されるものであるから、遊技盤に対して過度の負荷が加わることはなく、遊技盤がひび割れするおそれもない。なお、遊技釘自体はフランジ部が表板と裏板とで挟持されることで固定されるものであるから、前記表板に穿設される貫通孔の加工精度は低くてもよく、遊技盤の製造は容易である。
【００１１】
請求項２に係る遊技機によれば、遊技釘の釘本体部における貫通孔の内部に位置する部位に、該貫通孔の内壁に向かって突設される規制部を設けたから、該釘本体部の径方向への変位を抑制することができる。すなわち、遊技盤面を流下する遊技球の衝突によって釘本体部の角度が変位することを抑制でき、遊技店が行なった釘調整のままずれることがない。また請求項３に係る遊技機によれば、釘本体部における貫通孔の前端開口面域に位置する部位に規制部を設けたから、遊技盤から突出する釘本体部における釘調整によって角度が変化する基部となる規制部に対する付け根が、遊技盤の表面と略同一面となるので、遊技者にとって釘調整の良し悪しを従来と同じ感覚で判断することができる。更に、遊技店の店員にとっても、従来の釘調整と比べて違和感なく、同じ感覚で釘調整が可能となる。
【発明を実施するための最良の形態】
【００１２】
次に、本発明に係る遊技機につき、好適な実施例を挙げて、添付図面を参照しながら以下説明する。なお実施例では、遊技機としてパチンコ球を遊技媒体として使用する一般的なパチンコ機を例にして説明するが、アレンジボール機等、その他の形態のものであってもよい。
【実施例１】
【００１３】
図１に示す如く、実施例１に係るパチンコ機の遊技盤１０は、略矩形状に形成された所定厚みの表板１２と、該表板１２と同一形状に形成された所定厚みの裏板１４とを前後に重ね合わせることで構成される。両板１２,１４は、その上下・左右の４辺を、断面コ字に形成された固定具１６で夫々挟持することで位置決め固定されている。なお、前記表板１２および裏板１４は、合成樹脂を材質として形成されるが、木、その他の材質のものであってもよい。
【００１４】
前記遊技盤１０における表板１２の前面(遊技盤面)には、図２に示す如く、略円形状に湾曲形成したレール１８が配設されて、該レール１８により遊技領域２０が画成される。そして、この遊技領域２０に、図柄組合わせゲームが行なわれる図柄表示装置２２、遊技領域２０を流下するパチンコ球Ｂが入賞可能で、入賞したパチンコ球をスイッチで検出し得る始動入賞具２４、図柄表示装置２２での図柄組合わせゲームの結果により開放する大型電動式の入賞装置２６、その他装飾部材２８や電飾装置３０等の各種遊技部品が配設されている。なお、遊技領域２０に配設される遊技部品としては、前述したものに限らず、その他の各種役物等であってもよい。
【００１５】
また前記遊技領域２０には、該遊技領域２０を流下するパチンコ球Ｂの流下方向を変更する多数の遊技釘３２(図３参照)や風車３４が植設されている。なお、実施例１に係る遊技釘３２に関しては、以後、第１遊技釘と称するものとする。この第１遊技釘３２は、図３に示す如く、前記表板１２の厚み寸法より長尺に設定され、該表板１２に穿設された後述する貫通孔１２ａの内径より小さな外径に設定されて該貫通孔１２ａに挿通可能な棒状(円柱状)の釘本体部３６と、該釘本体部３６の後端に設けられ、貫通孔１２ａに対しては挿通不能、すなわち貫通孔１２ａの内径より大径に設定されて、前記表板１２と裏板１４とにより挟持可能な円盤状のフランジ部３８とから基本的に構成される。また釘本体部３６の前端には、該釘本体部３６の外径より大きく、かつフランジ部３８の外径より小さな外径に設定された頭部４０が設けてある。但し、頭部４０の外径は、貫通孔１２ａの内径より小さく設定され、該貫通孔１２ａに対して挿脱し得るようになっている。
【００１６】
前記遊技盤１０における表板１２には、前記各第１遊技釘３２が植設される位置の夫々に、前後に貫通する貫通孔１２ａが穿設されている。この貫通孔１２ａの内径は、前述した如く、第１遊技釘３２の釘本体部３６および頭部４０の外径よりは大きく、かつフランジ部３８の外径よりは小さく設定され、表板１２の裏側から頭部４０および釘本体部３６を貫通孔１２ａに挿通した状態で、フランジ部３８が表板１２の裏面で位置規制されるよう構成される。また裏板１４における各貫通孔１２ａと対応する前面(表板１２と対向する面)に、図４に示す如く、所要内径の凹部１４ａが凹設されている。この凹部１４ａの内径は、前記第１遊技釘３２のフランジ部３８が収容可能な寸法に設定され、また凹部１４ａの深さは、フランジ部３８の厚みと略同じに設定される。すなわち、表板１２の裏面で位置規制されているフランジ部３８が凹部１４ａに収容された状態で、当該フランジ部３８が表板１２と裏板１４とで挟持されて位置決め固定されるよう構成してある。
【００１７】
〔実施例１の作用〕
次に、前述した実施例１に係る遊技機の作用について説明する。
【００１８】
前記第１遊技釘３２を遊技盤１０に植設する場合は、図４に示す如く、前記表板１２と裏板１４とを分離した状態で、該第１遊技釘３２の頭部４０および釘本体部３６を、フランジ部３８が表板１２の裏面で位置規制される位置まで表板１２の裏側から貫通孔１２ａに挿通する。次いで、表板１２の裏面に対して裏板１４を、第１遊技釘３２のフランジ部３８が凹部１４ａに収容される状態で重ね合わせ、前記固定具１６で両板１２,１４を固定する。前述したように、裏板１４の凹部１４ａにおける深さは、第１遊技釘３２のフランジ部３８の厚みと略同じに設定してあるから、該フランジ部３８は表板１２と裏板１４とで強固に挟持され、該第１遊技釘３２が遊技盤１０から抜け落ちたり位置ずれおそれはない。
【００１９】
また第１遊技釘３２の釘本体部３６は、その外径より大きな内径の貫通孔１２ａに挿通されるものであるから、遊技盤１０に対して過度の負荷が加わることはなく、該遊技盤１０がひび割れするおそれはない。しかも、表板１２の貫通孔１２ａは、第１遊技釘３２の頭部４０や釘本体部３６が挿通可能な内径であればよく、高い加工精度を必要としないから、遊技盤１０の製造が容易となる利点がある。
【００２０】
〔実施例１の変更例〕
図５は、実施例１に係る遊技盤の変更例を示すものであって、実施例１では、第１遊技釘３２のフランジ部３８を収容する凹部を裏板１４の表面側に設けたが、変更例の遊技盤１０Ａでは、表板１２の裏面側に、該フランジ部３８を収容する凹部１２ｂを形成してある。この場合の凹部１２ｂの内径や深さは、実施例１の場合と同様で、その内径はフランジ部３８が収容可能で、深さはフランジ部３８の厚みと略同じに設定される。従って、変更例の遊技盤１０Ａの場合においても、第１遊技釘３２は、フランジ部３８が表板１２と裏板１４とで強固に挟持された状態で植設される。また、変更例の遊技盤１０Ａの場合は、表板１２のみに穴開け等の加工を施せばよく、裏板１４を加工する必要はないから、遊技盤１０Ａの製造がより容易となる。
【実施例２】
【００２１】
図６および図７は、実施例２に係る遊技釘を示すものであって、実施例２に係る遊技釘４２に関しては、以後、第２遊技釘と称するものとする。なお、実施例１と同一部材については、同じ符号を付して詳細説明は省略する。また遊技盤自体の構成は、前述した実施例１と同一である。
【００２２】
実施例２に係る第２遊技釘４２では、図６に示す如く、該遊技釘４２が遊技盤１０に植設された状態で、前記貫通孔１２ａの内部に位置する釘本体部３６に、該貫通孔１２ａの内壁に向かって突設される規制部４４が設けられている。この規制部４４は、前記表板１２の厚みと略同一長さに亘って設けられ、その前端は、貫通孔１２ａの前端開口面域に臨んで同一面内に位置している。また規制部４４の外径は、貫通孔１２ａの内径と略同一に設定されている。すなわち、規制部４４は、貫通孔１２ａの内部に嵌め合わされる形状・寸法に設定されて、該規制部４４の外周面が貫通孔１２ａの内壁に当接することで、当該第２遊技釘４２の径方向への変位を規制し得るよう構成される。
【００２３】
すなわち、実施例２の第２遊技釘４２の場合は、前述した実施例１と同様な作用効果に加えて、前記遊技領域２０を流下するパチンコ球Ｂの衝突によって釘本体部３６の角度が変位することをより確実に抑制できる。また図８(ｂ)に示す如く、前記第１遊技釘３２の場合は、遊技盤１０から突出する釘本体部３６における釘調整によって角度が変化する基部となるフランジ部３８に対する付け根とパチンコ球Ｂが衝突する位置との距離が長く、付け根に加わる負荷が大きくなる。これに対し、第２遊技釘４２の場合は、図８(ａ)に示す如く、遊技盤１０から突出する釘本体部３６における釘調整によって角度が変化する基部となる規制部４４に対する付け根が、遊技盤１０の表面と略同一面となるので、該付け根とパチンコ球Ｂが衝突する位置との距離は短かく、付け根に加わる負荷を小さくすることができる。
【００２４】
また、前記規制部４４に対する付け根が遊技盤１０の表面と略同一面となっているから、遊技者にとって釘調整の良し悪しを従来と同じ感覚で判断することができる。更に、遊技店の店員にとっても、従来の釘調整と比べて違和感なく、同じ感覚で釘調整を行なうことができる。
【００２５】
なお、前記貫通孔１２ａの内径と規制部４４の外径とは、略同一となるのが好適であるが、両者１２ａ,４４は、第２遊技釘４２を遊技盤１０に固定するために機能するものではないので、多少の寸法誤差があったとしても問題が生ずるものではない。例えば、貫通孔１２ａあるいは規制部４４の寸法誤差によって、貫通孔１２ａの内径が規制部４４の外径より大きくなった場合は、規制部４４の外周面と貫通孔１２ａの内壁との間に多少の隙間はできるが、規制部４４が貫通孔１２ａの内壁に当接する位置以上の釘本体部３６の径方向への変位は確実に抑制できる。
【００２６】
また逆に、貫通孔１２ａの内径が規制部４４の外径より小さくなった場合は、製造工程において貫通孔１２ａに規制部４４が挿通できないと察知した時点で、規制部４４の外径が小さな第２遊技釘４２と取り替えたり、貫通孔１２ａの内径を広げる等の対応が可能であり、小さい貫通孔１２ａに対して無理やり規制部４４を押し込むことで、遊技盤１０にひび割れが起きることを未然に防ぐことができる。
【００２７】
前述した実施例２に係る第２遊技釘４２の構成においても、実施例１に関連して前述した変更例の遊技盤１０Ａを採用することができる。
【００２８】
〔実施例２の変更例〕
図９は、実施例２に係る第２遊技釘４２が植設される遊技盤の変更例を示すものであって、変更例の遊技盤１０Ｂにおいては、表板１２および裏板１４の何れにも、フランジ部３８を収容する凹部を形成していない。この場合は、両板１２,１４でフランジ部３８を挟持したときに、該フランジ部３８の厚み分だけ両板１２,１４間に隙間を生ずるが、第２遊技釘４２を強固に固定することができる。また表板１２および裏板１４に凹部を形成する必要がないから、加工工数を低減して、製造コストを抑制することができる。なお、当該変更例に係る遊技盤１０Ｂに、前記第１遊技釘３２を植設することも可能である。
【実施例３】
【００２９】
図１０は、実施例３に係る遊技釘を示すものであって、実施例３に係る遊技釘４６に関しては、以後、第３遊技釘と称するものとする。なお、実施例１と同一部材については、同じ符号を付して詳細説明は省略する。また遊技盤自体の構成は、前述した実施例１と同一である。
【００３０】
前記第２遊技釘４２の規制部４４は、貫通孔１２ａの全長に亘って設けられていたが、実施例３に係る第３遊技釘４６では、前記釘本体部３６における貫通孔１２ａの前端開口面域に位置する部位にのみ、該貫通孔１２ａの内壁に向かって突設される別の規制部４８が設けてある。すなわち、この別の規制部４８は、前記表板１２の厚みより短かく、その前端は、貫通孔１２ａの前端開口面域に臨んで同一面内に位置している。また別の規制部４８の外径は、貫通孔１２ａの内径と略同一に設定されて、別の規制部４８の外周面が貫通孔１２ａの内周面に当接して径方向への変位が規制されるよう構成される。従って、第３遊技釘４６により得られる作用効果は、前記第２遊技釘４２が奏するものと同じである。
【００３１】
また実施例３の第３遊技釘４６の構成においても、実施例１または実施例２に関連して前述した各変更例の遊技盤１０Ａ,１０Ｂを採用することができる。
【００３２】
本発明に係る遊技機および遊技釘としては、前述した各実施例のものに限られるものではなく、種々の変更が可能である。
１．実施例では、表板と裏板とを挟持する固定具を介して両板を固定したが、ボルト−ナット等の他の形態の固定具を用いることができ、または両板を接着剤により固定するものであってもよい。
２．遊技釘におけるフランジ部の形状としては、円形に限定されるものではなく、貫通孔に対して挿通不能であれば、楕円、多角形、その他各種形状を採用し得る。すなわち、フランジ部における釘本体部の直径方向に沿う断面の最大長さが、貫通孔の内径よりも長く設定されていればよい。
３．遊技釘における規制部の形状としては、貫通孔に嵌め合わされる形状に限らず、歯車形状等、その一部が貫通孔の内壁に当接し得るものであれば、その他各種形状を採用し得る。また規制部の形成位置は、貫通孔の内部であれば、前端開口面域から離間した位置であってもよい。
４．遊技釘のフランジ部を収容するために表板や裏板に設けられる凹部の深さを、フランジ部の厚みよりも浅く設定し、両板によりフランジ部を確実に挟持固定するのが好適である。
５．なお、「貫通孔の内壁に向かって突設される規制部」とは、貫通孔の内径より小径に設定された釘本体部の外周面より径方向に突出する部分を指すものであって、実施例２のような釘本体部が段付き形状となっているようなものも含むものである。
【００３３】
本発明の具体的構成としては、以下のような限定が可能である。
〔付記１〕
請求項２または３記載の遊技機に関し、前記規制部(44,48)は、該規制部(44,48)が位置する貫通孔(12a)内部と嵌め合わされる形状に設定される。
〔付記２〕
請求項２または３記載の遊技機に関し、前記規制部(44,48)は、該規制部(44,48)が位置する貫通孔(12a)の内径と略同一の外径に設定される。
そして、付記１および２に係る遊技機によれば、前記規制部を、貫通孔内部と嵌め合わされる形状あるいは貫通孔の内径と略同一の外径に設定したことで、前記釘本体部の径方向への変位を確実に規制することができる。
【図面の簡単な説明】
【００３４】
【図１】実施例１に係る遊技盤を示す概略斜視図である。
【図２】実施例１に係る遊技盤に各種部品を配設した状態で示す正面図である。
【図３】実施例１に係る第１遊技釘を植設した状態の遊技盤の要部断面図である。
【図４】実施例１に係る第１遊技釘を遊技盤から分離した状態で示す遊技盤の分解断面図である。
【図５】実施例１の変更例に係る遊技盤を示す要部断面図である。
【図６】実施例２に係る第２遊技釘を植設した状態の遊技盤の要部断面図である。
【図７】実施例２に係る第２遊技釘を遊技盤から分離した状態で示す遊技盤の分解断面図である。
【図８】実施例１に係る第１遊技釘と実施例２に係る第２遊技釘とを対比する遊技盤の説明断面図である。
【図９】実施例２の変更例に係る遊技盤を示す要部断面図である。
【図１０】実施例３に係る第３遊技釘を植設した状態の遊技盤の要部断面図である。
【符号の説明】
【００３５】
１０ 遊技盤，１０Ａ 変更例の遊技盤，１０Ｂ 変更例の遊技盤，１２ 表板
１２ａ 貫通孔，１４ 裏板，３２ 第１遊技釘，３６ 釘本体部，３８ フランジ部
４２ 第２遊技釘，４４ 規制部，４６ 第３遊技釘，４８ 別の規制部
【図１】
2006094931.tif 000003
【図２】
2006094931.tif 000004
【図３】
2006094931.tif 000005
【図４】
2006094931.tif 000006
【図５】
2006094931.tif 000007
【図６】
2006094931.tif 000008
【図７】
2006094931.tif 000009
【図８】
2006094931.tif 000010
【図９】
2006094931.tif 000011
【図１０】
2006094931.tif 000012